(57)【要約】【課題】ハンドオーバ先無線基地局Ｔ-ｅＮＢが、ハンドオーバ元無線基地局Ｓ-ｅＮＢから転送された全てのＸ２  ＧＴＰ-Ｕパケットの受信完了を待たずに、サービングゲートウェイ装置Ｓ-ＧＷからのＳ１  ＧＴＰ-Ｕパケットが到着した時点で、適切なＰＤＣＰ用シーケンス番号を付与し、移動局ＵＥに送信する。【解決手段】無線基地局Ｓ-ｅＮＢは、無線接続切替要求を送信した後に、第１伝送パスを介して新たに受信したパケットに対して、無線通信用シーケンス番号を付与する無線通信用シーケンス番号付与部と、第１シーケンス番号と無線通信用シーケンス番号との対応関係を第２無線基地局Ｔ-ｅＮＢに通知する対応関係通知部とを具備する。【選択図】  図３
2009060156.tif 000002
【特許請求の範囲】
【請求項１】
第１無線基地局が、無線接続を介して移動局との間で通信を行っている場合、データ送信先切替装置が、該第１無線基地局宛てに第１パケットを送信する工程と、
前記第１無線基地局が、第１伝送パスを介して受信した前記第１パケットを無線通信用データに変更し、該無線接続を介して該移動局に対して送信する工程と、
前記移動局と第１無線基地局との間の無線接続を、該移動局と第２無線基地局との間の無線接続に切り替えるように決定された場合、該第１無線基地局が、該第２無線基地局に対して無線接続切替要求を送信した後に、該移動局に対して未だ送信が完了されていない前記無線通信用データ及び前記第１伝送パスを介して新たに受信した前記第１パケットを転送対象データとし、該転送対象データを該第２無線基地局に対して転送する工程と、
前記無線接続の切り替えが終了した後、前記データ送信先切替装置が、前記第１無線基地局宛ての前記第１パケットの送信を停止し、前記第２無線基地局宛ての第２パケットの送信を開始する工程とを有する通信方法であって、
前記第１無線基地局において前記第１伝送パスを介して受信された前記第１パケットには、第１シーケンス番号が付与されており、
前記第２無線基地局において前記第２伝送パスを介して受信された前記第２パケットには、第２シーケンス番号が付与されており、
前記無線通信用データには、無線通信用シーケンス番号が付与されており、
前記第１無線基地局が、前記無線接続切替要求を送信した後に、前記第１伝送パスを介して新たに受信したパケットに対して、前記無線通信用シーケンス番号を付与する工程Ａと、
前記第１無線基地局が、前記第１シーケンス番号と前記無線通信用シーケンス番号との対応関係を、前記第２無線基地局に通知する工程Ｂと、
前記第２無線基地局が、前記対応関係に基づいて、第２伝送パスを介して受信した前記第２パケット及び前記第１無線基地局から転送された前記無線通信用データの前記移動局に対する送信順序を決定する工程Ｃとを有することを特徴とする通信方法。
【請求項２】
前記工程Ｃにおいて、前記第２パケットに対して付与すべき前記無線通信用シーケンス番号を決定することを特徴とする請求項１に記載の通信方法。
【請求項３】
前記工程Ｂにおいて、前記第１無線基地局が、任意の第１パケットに付与されている前記第１のシーケンス番号に対応する前記無線通信用シーケンス番号を通知することを特徴とする請求項１に記載の通信方法。
【請求項４】
前記工程Ｂにおいて、前記第１無線基地局が、前記無線接続切替要求によって、前記対応関係を通知することを特徴とする請求項１に記載の通信方法。
【請求項５】
前記第１無線基地局において前記第１伝送パスを介して受信される前記第１パケットに付与されている第１シーケンス番号と、前記第２無線基地局において前記第２伝送パスを介して受信される前記第２パケットに付与されている第２シーケンス番号とが連続するように構成されていることを特徴とする請求項１に記載の通信方法。
【請求項６】
前記データ送信先切替装置は、前記第１無線基地局及び前記第２無線基地局に接続されているゲートウェイ装置であることを特徴とする請求項１に記載の通信方法。
【請求項７】
前記第１無線基地局は、第１ゲートウェイ装置に接続されており、前記第２無線基地局は、第２ゲートウェイ装置に接続されており、
前記第１ゲートウェイ装置及び第２ゲートウェイ装置は、中央ゲートウェイ装置に接続されており、
前記中央ゲートウェイ装置によって送信される前記第１パケットに付与されているシーケンス番号と、前記中央ゲートウェイ装置によって送信される前記第２パケットに付与されているシーケンス番号とが連続するように構成されていることを特徴とする請求項１に記載の通信方法。
【請求項８】
前記第１ゲートウェイ装置によって前記第１伝送パスを介して送信される前記第１パケットに付与されている第１シーケンス番号と、前記中央ゲートウェイ装置によって送信される前記第１パケットに付与されるシーケンス番号とが同じシーケンス番号であり、
前記第２ゲートウェイ装置によって前記第２伝送パスを介して送信される前記第２パケットに付与されている第２シーケンス番号と、前記中央ゲートウェイ装置によって送信される前記第２パケットに付与されるシーケンス番号とが同じシーケンス番号であることを特徴とする請求項７に記載の通信方法。
【請求項９】
前記第１ゲートウェイ装置は、前記無線接続の切り替えに伴い、前記第１無線基地局配下の移動局のモビリティ制御を行う第１モビリティ制御装置に接続されており、
前記第２ゲートウェイ装置は、前記無線接続の切り替えに伴い、前記第２無線基地局配下の移動局のモビリティ制御を行う第２モビリティ制御装置に接続されており、
前記工程Ｂにおいて、前記第１無線基地局が、前記第１モビリティ制御装置に対して前記対応関係を通知し、該第１モビリティ制御装置が、前記第２モビリティ制御装置に対して該対応関係を通知し、該第２モビリティ制御装置が、前記第２無線基地局に対して該対応関係を通知することを特徴とする請求項７に記載の通信方法。
【請求項１０】
前記ゲートウェイ装置は、前記無線接続の切り替えに伴い、前記第１無線基地局配下の移動局のモビリティ制御を行う第１モビリティ制御装置、及び、前記無線接続の切り替えに伴い、前記第２無線基地局配下の移動局のモビリティ制御を行う第２モビリティ制御装置に接続されており、
前記工程Ｂにおいて、前記第１無線基地局が、前記第１モビリティ制御装置に対して前記対応関係を通知し、該第１モビリティ制御装置が、前記第２モビリティ制御装置に対して該対応関係を通知し、該第２モビリティ制御装置が、前記第２無線基地局に対して該対応関係を通知することを特徴とする請求項６に記載の通信方法。
【請求項１１】
前記工程Ｂにおいて、前記第１無線基地局が、前記第１シーケンス番号と前記無線通信用シーケンス番号との対応関係として、前記第１シーケンス番号と前記無線通信用シーケンス番号とのオフセット値を、前記第２無線基地局に通知し、
前記工程Ｃにおいて、前記第２無線基地局が、前記オフセット値を用いて、前記第２パケットに付与すべき前記無線通信用シーケンス番号を決定することを特徴とする請求項２に記載の通信方法。
【請求項１２】
前記第２無線基地局は、前記第１シーケンス番号が一巡した場合に、前記オフセット値を更新することを特徴とする請求項１１に記載の通信方法。
【請求項１３】
前記工程Ｃにおいて、前記第２無線基地局が、前記第１シーケンス番号と前記無線通信用シーケンス番号との対応関係に基づいて、前記第１シーケンス番号と前記無線通信用シーケンス番号とのオフセット値を計算し、計算した該オフセット値を用いて、前記第２パケットに付与すべき前記無線通信用シーケンス番号を決定することを特徴とする請求項２に記載の通信方法。
【請求項１４】
前記第１無線基地局及び前記第２無線基地局は、前記第１シーケンス番号の長さ及び前記無線通信用シーケンス番号の長さを管理していることを特徴とする請求項１に記載の通信方法。
【請求項１５】
前記第１シーケンス番号の長さ及び前記無線通信用シーケンス番号の長さは異なることを特徴とする請求項１に記載の通信方法。
【請求項１６】
第１無線基地局が、無線接続を介して移動局との間で通信を行っている場合、データ送信先切替装置が、該第１無線基地局宛てに第１パケットを送信する工程と、
前記第１無線基地局が、第１伝送パスを介して受信した前記第１パケットを無線通信用データに変更し、該無線接続を介して該移動局に対して送信する工程と、
前記移動局と第１無線基地局との間の無線接続を、該移動局と第２無線基地局との間の無線接続に切り替えるように決定された場合、該第１無線基地局が、該第２無線基地局に対して無線接続切替要求を送信した後に、該移動局に対して未だ送信が完了されていない前記無線通信用データ及び前記第１伝送パスを介して新たに受信した前記第１パケットを転送対象データとし、該転送対象データを該第２無線基地局に対して転送する工程と、
前記無線接続の切り替えが終了した後、前記データ送信先切替装置が、前記第１無線基地局宛ての前記第１パケットの送信を停止し、前記第２無線基地局宛ての第２パケットの送信を開始する工程とを有する通信方法で第１無線基地局として用いられる無線基地局であって、
前記第１無線基地局において前記第１伝送パスを介して受信された前記第１パケットには、第１シーケンス番号が付与されており、
前記第２無線基地局において前記第２伝送パスを介して受信された前記第２パケットには、第２シーケンス番号が付与されており、
前記無線通信用データには、無線通信用シーケンス番号が付与されており、
前記無線接続切替要求を送信した後に、前記第１伝送パスを介して新たに受信したパケットに対して、前記無線通信用シーケンス番号を付与する無線通信用シーケンス番号付与部と、
前記第１シーケンス番号と前記無線通信用シーケンス番号との対応関係を、前記第２無線基地局に通知する対応関係通知部とを具備することを特徴とする第１無線基地局。
【発明の詳細な説明】
【技術分野】
【０００１】
本発明は、通信方法及び無線基地局に関する。
【背景技術】
【０００２】
図９を参照して、従来の無線通信システムにおいて、移動局ＵＥとの間で通信を行う無線基地局ｅＮＢを、ハンドオーバ元無線基地局Ｓ-ｅＮＢ（第１無線基地局）からハンドオーバ先無線基地局Ｔ-ｅＮＢ（第２無線基地局）に切り替える動作、すなわち、移動局ＵＥとハンドオーバ元無線基地局Ｓ-ｅＮＢとの間の無線接続を、移動局ＵＥとハンドオーバ先無線基地局Ｔ-ｅＮＢとの間の無線接続に切り替える動作（具体的には、Ｉｎｔｒａ  ＭＭＥハンドオーバが行われる場合の動作）について説明する。
【０００３】
図９に示すように、第１に、ハンドオーバ元無線基地局Ｓ-ｅＮＢが、無線接続を介して移動局ＵＥとの間で通信を行っている場合には、サービングゲートウェイ装置（データ送信先切替装置）Ｓ-ＧＷは、移動局ＵＥに対して送信すべきデータに対して「Ｓ１  ＧＴＰ-ＵトンネルＡ用シーケンス番号（第１シーケンス番号）ＳＮａ」を付与してＳ１  ＧＴＰ-Ｕパケット（第１パケット）を生成し、Ｓ１  ＧＴＰ-Ｕトンネル（第１伝送パス）Ａを介してハンドオーバ元無線基地局Ｓ-ｅＮＢに対して送信している。
【０００４】
第２に、ハンドオーバ元無線基地局Ｓ-ｅＮＢが、サービングゲートウェイ装置Ｓ-ＧＷから受信したＳ１  ＧＴＰ-Ｕパケットに含まれるデータに対して「ＰＤＣＰ（Ｐａｃｋｅｔ  Ｄａｔａ  Ｃｏｎｖｅｒｇｅｎｃｅ  Ｐｒｏｔｏｃｏｌ）用シーケンス番号（無線通信用シーケンス番号）ＳＮｄ」を付与してＰＤＣＰ  ＳＤＵ（無線通信用データ）を生成し、無線リンクＤを介して移動局ＵＥに対して送信する。
【０００５】
第３に、移動局ＵＥとハンドオーバ元無線基地局Ｓ-ｅＮＢとの間の無線接続を、移動局ＵＥとハンドオーバ先無線基地局Ｔ-ｅＮＢとの間の無線接続に切り替えるように決定された場合、データ損失の発生しないハンドオーバを実現するために、ハンドオーバ元無線基地局Ｓ-ｅＮＢが、移動局ＵＥから未だＡＣＫを受領していないＰＤＣＰ  ＳＤＵ（すなわち、移動局ＵＥに対して未だ送信が完了されていない無線通信用データ）を転送対象データとして、ハンドオーバ先無線基地局Ｔ-ｅＮＢに対して転送する。
【０００６】
具体的には、ハンドオーバ元無線基地局Ｓ-ｅＮＢは、かかる移動局ＵＥから未だＡＣＫを受領していないＰＤＣＰ  ＳＤＵに含まれるデータに対して「Ｘ２  ＧＴＰ-ＵトンネルＣ用シーケンス番号ＳＮｃ」を付与してＸ２  ＧＴＰ-Ｕパケットを生成し、Ｘ２  ＧＴＰ-ＵトンネルＣを介してハンドオーバ先無線基地局Ｔ-ｅＮＢに対して転送する。
【０００７】
第４に、上述のハンドオーバ元無線基地局Ｓ-ｅＮＢからハンドオーバ先無線基地局Ｔ-ｅＮＢへのＸ２  ＧＴＰ-Ｕパケットの転送が完了した後、サービングゲートウェイ装置Ｓ-ＧＷ（データ送信先切替装置）が、「Ｓ１  ＧＴＰ-ＵトンネルＡ用シーケンス番号ＳＮａ」が付与されたＳ１  ＧＴＰ-ＵパケットをＳ１  ＧＴＰ-ＵトンネルＡを介してハンドオーバ元無線基地局Ｓ-ｅＮＢに対して送信する状態から、「Ｓ１  ＧＴＰ-ＵトンネルＢ用シーケンス番号（第２シーケンス番号）ＳＮｂ」が付与されたＳ１  ＧＴＰ-Ｕパケット（第２パケット）をＳ１  ＧＴＰ-Ｕトンネル（第２伝送パス）Ｂを介してハンドオーバ先無線基地局Ｔ-ｅＮＢに対して送信する状態に切り替える、すなわち、「Ｐａｔｈ  Ｓｗｉｔｃｈ（伝送パス切替処理）」を行う。
【０００８】
ここで、上述した従来の無線通信システムでは、ハンドオーバ先無線基地局Ｔ-ｅＮＢは、ハンドオーバ元無線基地局Ｓ-ｅＮＢから転送されたＸ２  ＧＴＰ-Ｕパケットを移動局ＵＥに送信した後に、サービングゲートウェイ装置Ｓ-ＧＷから受信したＳ１  ＧＴＰ-Ｕパケットを移動局ＵＥに送信しなければならないにも関わらず、ハンドオーバ元無線基地局Ｓ-ｅＮＢからのＸ２  ＧＴＰ-Ｕパケットを、サービングゲートウェイ装置Ｓ-ＧＷからのＳ１  ＧＴＰ-Ｕパケットよりも先に受信してしまう可能性があるという問題点があった。
【０００９】
したがって、かかる問題点を解決するために、３ＧＰＰにおいて、以下の２種類の提案について議論されている。
【００１０】
（提案１）
提案１では、かかる問題点を解決するために、ハンドオーバ先無線基地局Ｔ-ｅＮＢが、上述のＸ２  ＧＴＰ-Ｕパケットと上述のＳ１  ＧＴＰ-Ｕパケットとを別々のバッファに蓄積し、上述のＸ２  ＧＴＰ-Ｕパケットを優先的に移動局ＵＥに対して送信し、上述のＸ２  ＧＴＰ-Ｕパケットの移動局ＵＥへの送信が完了した後に、上述のＳ１  ＧＴＰ-Ｕパケットを移動局ＵＥに対して送信するように構成されている。
【００１１】
ハンドオーバ先無線基地局Ｔ-ｅＮＢは、全ての転送対象データ（上述のＸ２  ＧＴＰ−Ｕパケット）を受信するために、Ｘ２  ＧＴＰ−Ｕデータ受信完了待ちタイマーが満了した後に、上述のＳ１  ＧＴＰ-Ｕパケットを移動局ＵＥに対して送信するように構成されている。
【００１２】
（提案２）
提案２では、かかる問題点を解決するために、図１０に示すように、ハンドオーバ元無線基地局Ｓ-ｅＮＢが、移動局ＵＥに対して、ハンドオーバ先無線基地局Ｔ-ｅＮＢに対してハンドオーバを開始することを指示する「ＨＯ  Ｃｏｍｍａｎｄ」メッセージを送信する前に、サービングゲートウェイ装置Ｓ-ＧＷに対して、モビリティ制御装置ＭＭＥを経由してＳ１  ＧＴＰ-Ｕパケットの送信を停止するように要求するデータ送信停止要求を送信するように構成されている。
【００１３】
また、サービングゲートウェイ装置Ｓ-ＧＷは、かかるデータ送信停止要求を受信してから、モビリティ制御装置ＭＭＥ（Ｍｏｂｉｌｉｔｙ  Ｍａｎａｇｅｍｅｎｔ  Ｅｎｔｉｔｙ）から「Ｕｓｅｒ  Ｐｌａｎｅ  Ｕｐｄａｔｅ  Ｒｅｑｕｅｓｔ」メッセージを受信してＰａｔｈ  Ｓｗｉｔｃｈを行うまでの期間、ハンドオーバ先無線基地局Ｔ-ｅＮＢ及びハンドオーバ元無線基地局Ｓ-ｅＮＢのどちらにも、Ｓ１  ＧＴＰ-Ｕパケットを送信しないように構成されている。
【００１４】
ここで、ハンドオーバ先無線基地局Ｔ-ｅＮＢが、モビリティ制御装置ＭＭＥに対して「ＨＯ  Ｃｏｍｐｌｅｔｅ」メッセージを送信し、モビリティ制御装置ＭＭＥが、サービングゲートウェイ装置Ｓ-ＧＷに対して「Ｕｓｅｒ  Ｐｌａｎｅ  Ｕｐｄａｔｅ  Ｒｅｑｕｅｓｔ」メッセージを送信するまでには、ハンドオーバ元無線基地局Ｓ-ｅＮＢからハンドオーバ先無線基地局Ｔ-ｅＮＢに対するＸ２  ＧＴＰ-Ｕパケットの転送が完了するものと考えられる。
【００１５】
その結果、ハンドオーバ先無線基地局Ｔ-ｅＮＢが、ハンドオーバ元無線基地局Ｓ-ｅＮＢからのＸ２  ＧＴＰ-Ｕパケットを、サービングゲートウェイ装置Ｓ-ＧＷからのＳ１  ＧＴＰ-Ｕパケットより先に受信してしまうという心配が無くなり、上述のＸ２  ＧＴＰ-Ｕパケットの移動局ＵＥへの送信が完了してから、上述のＳ１  ＧＴＰ-Ｕパケットの移動局ＵＥへの送信を行うことができる。
【非特許文献１】ＴＳ２３.４０１  Ｖ１.１.０
【発明の開示】
【発明が解決しようとする課題】
【００１６】
しかしながら、上述の提案１では、何らかの手段を設けなければ、ハンドオーバ元無線基地局Ｓ-ｅＮＢから送信された最後のＸ２  ＧＴＰ-Ｕパケットを正確に特定することができない、また、Ｘ２  ＧＴＰ−Ｕパケットの受信完了待ちタイマーによる固定遅延が発生するという問題点があった。
【００１７】
また、上述の提案２では、サービングゲートウェイ装置Ｓ-ＧＷが、上述のデータ送信停止要求を受信してから、モビリティ制御装置ＭＭＥから「ＨＯ  Ｃｏｍｐｌｅｔｅ」メッセージを受信してＰａｔｈ  Ｓｗｉｔｃｈを行うまでの期間に、Ｓ１  ＧＴＰ-Ｕパケットを送信しないため、スループットが大幅に落ちるという問題点があった。
【００１８】
また、ハンドオーバ先無線基地局Ｔ-ｅＮＢは、無線リンクＤを介して移動局ＵＥに対して送信するＰＤＣＰ  ＳＤＵに対して、無線リンクＣを介してハンドオーバ元無線基地局Ｓ-ｅＮＢから移動局ＵＥに対して送信された最後のＰＤＣＰ  ＳＤＵに付与されていたＰＤＣＰ用シーケンス番号ＳＮｄ（例えば、＃１０）の次のシーケンス番号ＳＮｄ（例えば、＃１１）から順に付与する必要がある。
【００１９】
しかしながら、上述の提案１及び提案２では、「Ｓ１  ＧＴＰ-ＵトンネルＡ用シーケンス番号ＳＮａ」、「Ｓ１  ＧＴＰ-ＵトンネルＢ用シーケンス番号ＳＮｂ」、「Ｘ２  ＧＴＰ-ＵトンネルＣ用シーケンス番号ＳＮｃ」及び「ＰＤＣＰ用シーケンス番号ＳＮｄ」は、互いに無関係に付与されるものである（すなわち、連続していない）ため、ハンドオーバ先無線基地局Ｔ-ｅＮＢが、無線リンクＤを介して移動局ＵＥに対して送信するＰＤＣＰ  ＳＤＵに対して、適切な「ＰＤＣＰ用シーケンス番号ＳＮｄ」を付与することができないという問題点があった。
【００２０】
そこで、本発明は、上述の課題に鑑みてなされたものであり、スループットを大幅に落とすことなく、Ｘ２  ＧＴＰ−Ｕパケット受信完了待ちタイマーによる固定遅延を回避し、ハンドオーバ先無線基地局Ｔ-ｅＮＢが、ハンドオーバ元無線基地局Ｓ-ｅＮＢから転送された全てのＸ２  ＧＴＰ-Ｕパケットの受信完了を待たずに、サービングゲートウェイ装置Ｓ-ＧＷからのＳ１  ＧＴＰ-Ｕパケットが到着した時点で、適切なＰＤＣＰ用シーケンス番号を付与し、移動局ＵＥに送信することができる通信方法及び無線基地局を提供することを目的とする。
【課題を解決するための手段】
【００２１】
本発明の第１の特徴は、第１無線基地局が、無線接続を介して移動局との間で通信を行っている場合、データ送信先切替装置が、該第１無線基地局宛てに第１パケットを送信する工程と、前記第１無線基地局が、第１伝送パスを介して受信した前記第１パケットを無線通信用データに変更し、該無線接続を介して該移動局に対して送信する工程と、前記移動局と第１無線基地局との間の無線接続を、該移動局と第２無線基地局との間の無線接続に切り替えるように決定された場合、該第１無線基地局が、該第２無線基地局に対して無線接続切替要求を送信した後に、該移動局に対して未だ送信が完了されていない前記無線通信用データ及び前記第１伝送パスを介して新たに受信した前記第１パケットを転送対象データとし、該転送対象データを該第２無線基地局に対して転送する工程と、前記無線接続の切り替えが終了した後、前記データ送信先切替装置が、前記第１無線基地局宛ての前記第１パケットの送信を停止し、前記第２無線基地局宛ての第２パケットの送信を開始する工程とを有する通信方法であって、前記第１無線基地局において前記第１伝送パスを介して受信された前記第１パケットには、第１シーケンス番号が付与されており、前記第２無線基地局において前記第２伝送パスを介して受信された前記第２パケットには、第２シーケンス番号が付与されており、前記無線通信用データには、無線通信用シーケンス番号が付与されており、前記第１無線基地局が、前記無線接続切替要求を送信した後に、前記第１伝送パスを介して新たに受信したパケットに対して、前記無線通信用シーケンス番号を付与する工程Ａと、前記第１無線基地局が、前記第１シーケンス番号と前記無線通信用シーケンス番号との対応関係を、前記第２無線基地局に通知する工程Ｂと、前記第２無線基地局が、前記対応関係に基づいて、第２伝送パスを介して受信した前記第２パケット及び前記第１無線基地局から転送された前記無線通信用データの前記移動局に対する送信順序を決定する工程Ｃとを有することを要旨とする。
【００２２】
本発明の第１の特徴において、前記工程Ｃにおいて、前記第２パケットに対して付与すべき前記無線通信用シーケンス番号を決定してもよい。
【００２３】
本発明の第１の特徴において、前記工程Ｂにおいて、前記第１無線基地局が、任意の第１パケットに付与されている前記第１のシーケンス番号に対応する前記無線通信用シーケンス番号を通知してもよい。
【００２４】
本発明の第１の特徴において、前記工程Ｂにおいて、前記第１無線基地局が、前記無線接続切替要求によって、前記対応関係を通知してもよい。
【００２５】
本発明の第１の特徴において、前記第１無線基地局において前記第１伝送パスを介して受信される前記第１パケットに付与されている第１シーケンス番号と、前記第２無線基地局において前記第２伝送パスを介して受信される前記第２パケットに付与されている第２シーケンス番号とが連続するように構成されていてもよい。
【００２６】
本発明の第１の特徴において、前記データ送信先切替装置は、前記第１無線基地局及び前記第２無線基地局に接続されているゲートウェイ装置であってもよい。
【００２７】
本発明の第１の特徴において、前記第１無線基地局は、第１ゲートウェイ装置に接続されており、前記第２無線基地局は、第２ゲートウェイ装置に接続されており、前記第１ゲートウェイ装置及び第２ゲートウェイ装置は、中央ゲートウェイ装置に接続されており、前記中央ゲートウェイ装置によって送信される前記第１パケットに付与されているシーケンス番号と、前記中央ゲートウェイ装置によって送信される前記第２パケットに付与されているシーケンス番号とが連続するように構成されていてもよい。
【００２８】
本発明の第１の特徴において、前記第１ゲートウェイ装置によって前記第１伝送パスを介して送信される前記第１パケットに付与されている第１シーケンス番号と、前記中央ゲートウェイ装置によって送信される前記第１パケットに付与されるシーケンス番号とが同じシーケンス番号であり、前記第２ゲートウェイ装置によって前記第２伝送パスを介して送信される前記第２パケットに付与されている第２シーケンス番号と、前記中央ゲートウェイ装置によって送信される前記第２パケットに付与されるシーケンス番号とが同じシーケンス番号であってもよい。
【００２９】
本発明の第１の特徴において、前記第１ゲートウェイ装置は、前記無線接続の切り替えに伴い、前記第１無線基地局配下の移動局のモビリティ制御を行う第１モビリティ制御装置に接続されており、前記第２ゲートウェイ装置は、前記無線接続の切り替えに伴い、前記第２無線基地局配下の移動局のモビリティ制御を行う第２モビリティ制御装置に接続されており、前記工程Ｂにおいて、前記第１無線基地局が、前記第１モビリティ制御装置に対して前記対応関係を通知し、該第１モビリティ制御装置が、前記第２モビリティ制御装置に対して該対応関係を通知し、該第２モビリティ制御装置が、前記第２無線基地局に対して該対応関係を通知してもよい。
【００３０】
本発明の第１の特徴において、前記ゲートウェイ装置は、前記無線接続の切り替えに伴い、前記第１無線基地局配下の移動局のモビリティ制御を行う第１モビリティ制御装置、及び、前記無線接続の切り替えに伴い、前記第２無線基地局配下の移動局のモビリティ制御を行う第２モビリティ制御装置に接続されており、前記工程Ｂにおいて、前記第１無線基地局が、前記第１モビリティ制御装置に対して前記対応関係を通知し、該第１モビリティ制御装置が、前記第２モビリティ制御装置に対して該対応関係を通知し、該第２モビリティ制御装置が、前記第２無線基地局に対して該対応関係を通知してもよい。
【００３１】
本発明の第１の特徴において、前記工程Ｂにおいて、前記第１無線基地局が、前記第１シーケンス番号と前記無線通信用シーケンス番号との対応関係として、前記第１シーケンス番号と前記無線通信用シーケンス番号とのオフセット値を、前記第２無線基地局に通知し、前記工程Ｃにおいて、前記第２無線基地局が、前記オフセット値を用いて、前記第２パケットに付与すべき前記無線通信用シーケンス番号を決定してもよい。
【００３２】
本発明の第１の特徴において、前記第２無線基地局は、前記第１シーケンス番号が一巡した場合に、前記オフセット値を更新してもよい。
【００３３】
本発明の第１の特徴において、前記工程Ｃにおいて、前記第２無線基地局が、前記第１シーケンス番号と前記無線通信用シーケンス番号との対応関係に基づいて、前記第１シーケンス番号と前記無線通信用シーケンス番号とのオフセット値を計算し、計算した該オフセット値を用いて、前記第２パケットに付与すべき前記無線通信用シーケンス番号を決定してもよい。
【００３４】
本発明の第１の特徴において、前記第１無線基地局及び前記第２無線基地局は、前記第１シーケンス番号の長さ及び前記無線通信用シーケンス番号の長さを管理していてもよい。
【００３５】
本発明の第１の特徴において、前記第１シーケンス番号の長さ及び前記無線通信用シーケンス番号の長さは異なっていてもよい。
【００３６】
本発明の第２の特徴は、第１無線基地局が、無線接続を介して移動局との間で通信を行っている場合、データ送信先切替装置が、該第１無線基地局宛てに第１パケットを送信する工程と、前記第１無線基地局が、第１伝送パスを介して受信した前記第１パケットを無線通信用データに変更し、該無線接続を介して該移動局に対して送信する工程と、前記移動局と第１無線基地局との間の無線接続を、該移動局と第２無線基地局との間の無線接続に切り替えるように決定された場合、該第１無線基地局が、該第２無線基地局に対して無線接続切替要求を送信した後に、該移動局に対して未だ送信が完了されていない前記無線通信用データ及び前記第１伝送パスを介して新たに受信した前記第１パケットを転送対象データとし、該転送対象データを該第２無線基地局に対して転送する工程と、前記無線接続の切り替えが終了した後、前記データ送信先切替装置が、前記第１無線基地局宛ての前記第１パケットの送信を停止し、前記第２無線基地局宛ての第２パケットの送信を開始する工程とを有する通信方法で第１無線基地局として用いられる無線基地局であって、前記第１無線基地局において前記第１伝送パスを介して受信された前記第１パケットには、第１シーケンス番号が付与されており、前記第２無線基地局において前記第２伝送パスを介して受信された前記第２パケットには、第２シーケンス番号が付与されており、前記無線通信用データには、無線通信用シーケンス番号が付与されており、前記無線接続切替要求を送信した後に、前記第１伝送パスを介して新たに受信したパケットに対して、前記無線通信用シーケンス番号を付与する無線通信用シーケンス番号付与部と、前記第１シーケンス番号と前記無線通信用シーケンス番号との対応関係を、前記第２無線基地局に通知する対応関係通知部とを具備することを要旨とする。
【発明の効果】
【００３７】
以上説明したように、本発明によれば、スループットを大幅に落とすことなく、Ｘ２  ＧＴＰ−Ｕパケット受信完了待ちタイマーによる固定遅延を回避し、ハンドオーバ先無線基地局Ｔ-ｅＮＢが、ハンドオーバ元無線基地局Ｓ-ｅＮＢから転送された全てのＸ２  ＧＴＰ-Ｕパケットの受信完了を待たずに、サービングゲートウェイ装置Ｓ-ＧＷからのＳ１  ＧＴＰ-Ｕパケットが到着した時点で、適切なＰＤＣＰ用シーケンス番号を付与し、移動局ＵＥに送信することができる通信方法及び無線基地局を提供することができる。
【発明を実施するための最良の形態】
【００３８】
（本発明の第１の実施形態に係る無線通信システムの構成）
図１乃至図３を参照して、本発明の第１の実施形態に係る無線通信システムの構成について説明する。
【００３９】
本実施形態では、移動局ＵＥとの間で通信を行う無線基地局ｅＮＢを、ハンドオーバ元無線基地局Ｓ-ｅＮＢ（第１無線基地局）からハンドオーバ先無線基地局Ｔ-ｅＮＢ（第２無線基地局）に切り替える動作として、すなわち、移動局ＵＥとハンドオーバ元無線基地局Ｓ-ｅＮＢとの間の無線接続を、移動局ＵＥとハンドオーバ先無線基地局Ｔ-ｅＮＢとの間の無線接続に切り替える動作として、Ｉｎｔｒａ  ＭＭＥハンドオーバが行われる場合の例について説明する。
【００４０】
ここで、Ｉｎｔｒａ  ＭＭＥハンドオーバが行われる前の状態では、ハンドオーバ元無線基地局Ｓ-ｅＮＢが、無線接続を介して移動局ＵＥとの間で通信を行っており、サービングゲートウェイ装置（データ送信先切替装置）Ｓ-ＧＷが、ハンドオーバ元無線基地局Ｓ-ｅＮＢ宛てに第１パケットを送信するように構成されている。
【００４１】
そして、ハンドオーバ元無線基地局Ｓ-ｅＮＢが、Ｓ１  ＧＴＰ-Ｕトンネル（第１伝送パス）Ａを介して受信したＳ１  ＧＴＰ-Ｕパケット（第１パケット）を、ＰＤＣＰ  ＳＤＵ（無線通信用データ）に変更し、無線接続を介して移動局ＵＥに対して送信するように構成されている。
【００４２】
具体的には、図１に示すように、ハンドオーバ元無線基地局Ｓ-ｅＮＢにおいて、Ｓ１  ＧＴＰ-Ｕ処理部が、サービングゲートウェイ装置Ｓ-ＧＷからＳ１  ＧＴＰ-ＵトンネルＡを介して受信したＳ１  ＧＴＰ-Ｕパケット（図２（ａ）参照）をＰＤＣＰ処理部に転送し、ＰＤＣＰ処理部が、かかるＳ１  ＧＴＰ-Ｕパケットに対して、ＰＤＣＰ用シーケンス番号（無線通信用シーケンス番号）を付与することによってＰＤＣＰ  ＳＤＵ（図２（ｂ）参照）に変更して、無線リンクＤを介して移動局ＵＥに対して送信すると共に、ＰＤＣＰ  ＳＤＵ用バッファに蓄積する。
【００４３】
その後、移動局ＵＥとハンドオーバ元無線基地局（第１無線基地局）Ｓ-ｅＮＢとの間の無線接続を、移動局ＵＥとハンドオーバ先無線基地局（第２無線基地局）Ｔ-ｅＮＢとの間の無線接続に切り替えるように決定された場合、ハンドオーバ元無線基地局Ｓ-ｅＮＢが、ハンドオーバ先無線基地局Ｔ-ｅＮＢに対して「ＨＯ  Ｒｅｑｕｅｓｔ」メッセージ（無線接続切替要求）を送信した後に、移動局ＵＥに対して未だ送信が完了されていないＰＤＣＰ  ＳＤＵ（無線通信用データ）、及び、Ｓ１  ＧＴＰ-Ｕトンネル（第１伝送パス）Ａを介して新たに受信したＳ１  ＧＴＰ-Ｕパケット（第１パケット）を転送対象データとし、かかる転送対象データをハンドオーバ先無線基地局Ｔ-ｅＮＢに対して転送するように構成されている。
【００４４】
具体的には、図１に示すように、ＰＤＣＰ処理部が、その時点で、ＰＤＣＰ  ＳＤＵ用バッファに蓄積されているＰＤＣＰ  ＳＤＵのうち、ＡＣＫを受領していないＰＤＣＰ  ＳＤＵを、転送対象データとして、Ｘ２  ＧＴＰ-Ｕ処理部に転送する。
【００４５】
また、Ｓ１  ＧＴＰ-Ｕ処理部が、「ＨＯ  Ｒｅｑｕｅｓｔ」メッセージが送信された後に、Ｓ１  ＧＴＰ-Ｕトンネル（第１伝送パス）Ａを介して新たに受信したＳ１  ＧＴＰ-Ｕパケット（第１パケット）を、ＰＤＣＰ処理部に送信し、ＰＤＣＰ処理部が、かかるＳ１  ＧＴＰ-Ｕパケット（第１パケット）に対して、ＰＤＣＰ用シーケンス番号（無線通信用シーケンス番号）を付与することによってＰＤＣＰ  ＳＤＵ（図２（ｂ）参照）に変更して、転送対象データとして、Ｘ２  ＧＴＰ-Ｕ処理部に転送する。
【００４６】
そして、Ｘ２  ＧＴＰ-Ｕ処理部が、ＰＤＣＰ処理部から受信した転送対象データを、Ｘ２  ＧＴＰ-Ｕパケット（図２（ｃ）参照）に変更して、Ｘ２  ＧＴＰ-ＵトンネルＣを介してハンドオーバ先無線基地局Ｔ-ｅＮＢに対して転送する。
【００４７】
ここで、Ｘ２  ＧＴＰ-Ｕ処理部は、図２（ｃ）に示すように、ＰＤＣＰ処理部から受信したＰＤＣＰ  ＳＤＵに対して、「Ｘ２  ＧＴＰ-ＵトンネルＣ用シーケンス番号」等を含むＸ２  ＧＴＰ-ＵトンネルＣ用ヘッダを用いてカプセル化することによって、Ｘ２  ＧＴＰ-Ｕパケットを生成する。
【００４８】
また、ハンドオーバ元無線基地局Ｓ-ｅＮＢは、所定タイミングで、「Ｓ１  ＧＴＰ-ＵトンネルＡ用シーケンス番号（第１シーケンス番号）」と「ＰＤＣＰ用シーケンス番号（無線通信用シーケンス番号）」との対応関係を、ハンドオーバ先無線基地局Ｔ-ｅＮＢに通知するように構成されている。
【００４９】
例えば、ハンドオーバ元無線基地局Ｓ-ｅＮＢは、ハンドオーバ先無線基地局Ｔ-ｅＮＢに対して、無線接続切替要求（具体的には、「ＨＯ  Ｒｅｑｕｅｓｔ」メッセージ）によって、上述の対応関係を通知するように構成されていてもよい。
【００５０】
また、ハンドオーバ元無線基地局Ｓ-ｅＮＢは、サービングゲートウェイ装置Ｓ-ＧＷを経由して、ハンドオーバ先無線基地局Ｔ-ｅＮＢに対して上述の対応関係を通知するように構成されていてもよい。
【００５１】
また、ハンドオーバ元無線基地局Ｓ-ｅＮＢは、上述の対応関係として、図３に示すように、「Ｓ１  ＧＴＰ-ＵトンネルＡ用シーケンス番号（第１シーケンス番号）」と、それに対応する「ＰＤＣＰ用シーケンス番号（無線通信用シーケンス番号）」との組み合わせ（１つ又は複数）を通知するように構成されていてもよい。
【００５２】
また、ハンドオーバ元無線基地局Ｓ-ｅＮＢは、上述の対応関係として、任意のＳ１  ＧＴＰ-Ｕパケットに付与されている「Ｓ１  ＧＴＰ-ＵトンネルＡ用シーケンス番号（第１シーケンス番号）」に対応する「ＰＤＣＰ用シーケンス番号（無線通信用シーケンス番号）」、或いは、任意のＰＤＣＰ  ＳＤＵに付与されている「ＰＤＣＰ用シーケンス番号（無線通信用シーケンス番号）」に対応する「Ｓ１  ＧＴＰ-ＵトンネルＡ用シーケンス番号（第１シーケンス番号）」を通知するように構成されていてもよい。
【００５３】
また、ハンドオーバ元無線基地局Ｓ-ｅＮＢは、上述の対応関係として、「Ｓ１  ＧＴＰ-ＵトンネルＡ用シーケンス番号（第１シーケンス番号）」と「ＰＤＣＰ用シーケンス番号（無線通信用シーケンス番号）」との間のオフセット値を通知するように構成されていてもよい。
【００５４】
具体的には、かかるオフセット値Ｖｏｆｆｓｅｔは、以下の（式１）によって表現される。
【００５５】
Ｖｏｆｆｓｅｔ＝｜（ＧＴＰ-Ｕ  ＳＮ）−（ＰＤＣＰ  ＳＮ）｜  …  （式１）
ここで、（ＧＴＰ-Ｕ  ＳＮ）は、「Ｓ１  ＧＴＰ-ＵトンネルＡ用シーケンス番号（第１シーケンス番号）」を示し、（ＰＤＣＰ  ＳＮ）は、「ＰＤＣＰ用シーケンス番号（無線通信用シーケンス番号）」を示す。
【００５６】
ハンドオーバ先無線基地局Ｔ-ｅＮＢは、受信した対応関係に基づいて、サービングゲートウェイ装置Ｓ-ＧＷから受信したＳ１  ＧＴＰ-Ｕパケット及びハンドオーバ元無線基地局Ｓ-ｅＮＢから転送されたＰＤＣＰ  ＳＤＵの移動局ＵＥに対する送信順序を決定するように構成されている。
【００５７】
ここで、ハンドオーバ先無線基地局Ｔ-ｅＮＢは、サービングゲートウェイ装置Ｓ-ＧＷからＳ１  ＧＴＰ-ＵトンネルＢ（第２伝送パス）を介して受信したＳ１  ＧＴＰ-Ｕパケット（第２パケット）に対して付与すべきＰＤＣＰ用シーケンス番号（無線通信用シーケンス番号）ＳＮｄを決定するように構成されている。
【００５８】
すなわち、ハンドオーバ先無線基地局Ｔ-ｅＮＢが、上述のオフセット値を用いて、Ｓ１  ＧＴＰ-Ｕパケット（第２パケット）に付与すべきＰＤＣＰ用シーケンス番号（無線通信用シーケンス番号）ＳＮｄを決定するように構成されている。
【００５９】
なお、ハンドオーバ元無線基地局Ｓ-ｅＮＢが、上述の対応関係として、上述のオフセット値を通知していない場合には、ハンドオーバ先無線基地局Ｔ-ｅＮＢが、上述の（式１）に従って、かかるオフセット値を算出するように構成されている。
【００６０】
具体的には、ハンドオーバ先無線基地局Ｔ-ｅＮＢは、受信した対応関係に基づいて、サービングゲートウェイ装置Ｓ-ＧＷから受信したＳ１  ＧＴＰ-Ｕパケット（第２パケット）を、当該Ｓ１  ＧＴＰ-Ｕパケットに付与されている「Ｓ１  ＧＴＰ-ＵトンネルＢ用シーケンス番号（第１シーケンス番号）」に対応する「ＰＤＣＰ用シーケンス番号（無線通信用シーケンス番号）」が付与されたＰＤＣＰ  ＳＤＵ（無線通信用データ）に変換する。
【００６１】
例えば、ハンドオーバ先無線基地局Ｔ-ｅＮＢは、以下の（式２）によって、ＰＤＣＰ  ＳＤＵ（無線通信用データ）に付与すべき「ＰＤＣＰ用シーケンス番号（無線通信用シーケンス番号）」を決定する。
【００６２】
（ＰＤＣＰ  ＳＮ）＝｜（ＧＴＰ-Ｕ  ＳＮ）＋Ｖｏｆｆｓｅｔ｜ｍｏｄ（ＬＰＤＣＰ  ＳＮ）  …  （式２）
ここで、（ＬＰＤＣＰ  ＳＮ）は、（ＰＤＣＰ  ＳＮ）の長さを示す。
【００６３】
なお、ハンドオーバ先無線基地局Ｔ-ｅＮＢは、「Ｓ１  ＧＴＰ-ＵトンネルＢ用シーケンス番号（第１シーケンス番号）」が一巡した場合に、以下の（式３）によって、上述のオフセット値を更新するように構成されている。
【００６４】
Ｖｏｆｆｓｅｔ＝１個前の（ＰＤＣＰ  ＳＮ）＋１  …  （式３）
例えば、｜（ＧＴＰ-Ｕ  ＳＮ＿ｎ）＋１｜が０の場合、新しいオフセット値は、（ＰＤＣＰ  ＳＮ＿ｎ）＋１となる。
【００６５】
また、ハンドオーバ元無線基地局Ｓ-ｅＮＢ及びハンドオーバ先無線基地局Ｔ-ｅＮＢは、「Ｓ１  ＧＴＰ-ＵトンネルＢ用シーケンス番号（第１シーケンス番号）」の長さ及び「ＰＤＣＰ用シーケンス番号（無線通信用シーケンス番号）」の長さを管理している。
【００６６】
ここで、「Ｓ１  ＧＴＰ-ＵトンネルＢ用シーケンス番号（第１シーケンス番号）」の長さ及び「ＰＤＣＰ用シーケンス番号（無線通信用シーケンス番号）」は、同じ長さであってもよいし、異なる長さであってもよい。
【００６７】
そして、ハンドオーバ先無線基地局Ｔ-ｅＮＢは、こうして得られたＰＤＣＰ  ＳＤＵ、及び、ハンドオーバ元無線基地局Ｓ-ｅＮＢから転送されたＸ２  ＧＴＰ-Ｕパケットに含まれるＰＤＣＰ  ＳＤＵを、「ＰＤＣＰ用シーケンス番号（無線通信用シーケンス番号）」の早い順に移動局ＵＥに対して送信してもよいし、「ＰＤＣＰ用シーケンス番号（無線通信用シーケンス番号）」に関係なく移動局ＵＥに対して送信してもよい。
【００６８】
なお、本実施形態では、ハンドオーバ元無線基地局Ｓ-ｅＮＢにおいてＸ２  ＧＴＰ-ＵトンネルＡを介して受信されるＸ２  ＧＴＰ-Ｕパケットに付与されているＸ２  ＧＴＰ-ＵトンネルＡ用シーケンス番号と、ハンドオーバ先無線基地局Ｔ-ｅＮＢにおいてＸ２  ＧＴＰ-ＵトンネルＢを介して受信されるＸ２  ＧＴＰ-Ｕに付与されているＸ２  ＧＴＰ-ＵトンネルＢ用シーケンス番号とが連続するように構成されている。
【００６９】
すなわち、サービングゲートウェイ装置Ｓ-ＧＷは、上述のＳ１  ＧＴＰ-ＵトンネルＢ用シーケンス番号ＳＮｂとして、当該サービングゲートウェイ装置Ｓ-ＧＷによって最後に送信されたＳ１  ＧＴＰ-Ｕパケットに付与されていた「Ｓ１  ＧＴＰ-ＵトンネルＡ用シーケンス番号ＳＮａ」の次のシーケンス番号から順に付与していく。
【００７０】
また、サービングゲートウェイ装置Ｓ-ＧＷは、上述の無線接続の切り替えが終了した後、具体的には、「ＨＯ  Ｃｏｍｐｌｅｔｅ」メッセージを受信した後、ハンドオーバ元無線基地局Ｓ-ｅＮＢ宛てのＳ１  ＧＴＰ-Ｕパケットの送信を停止し、ハンドオーバ先無線基地局Ｔ-ｅＮＢ宛てのＳ１  ＧＴＰ-Ｕパケットの送信を開始する。
【００７１】
（本発明の第１の実施形態に係る無線通信システムの動作）
図４を参照して、本実施形態に係る無線通信システムにおいて、上述のＩｎｔｒａ  ＭＭＥハンドオーバが行われる場合の動作について説明する。
【００７２】
図４に示すように、ステップＳ１００１において、ハンドオーバ元無線基地局Ｓ-ｅＮＢは、ハンドオーバ先無線基地局Ｔ-ｅＮＢに対して、「ＨＯ  Ｒｅｑｕｅｓｔ」メッセージを通知する。
【００７３】
ここで、「ＨＯ  Ｒｅｑｕｅｓｔ」メッセージ内には、「Ｓ１  ＧＴＰ-ＵトンネルＡ用シーケンス番号（第１シーケンス番号）」と「ＰＤＣＰ用シーケンス番号（無線通信用シーケンス番号）」との対応関係が含まれているものとする。
【００７４】
ステップＳ１００２において、ハンドオーバ先無線基地局Ｔ-ｅＮＢは、「ＨＯ  Ｒｅｑｕｅｓｔ」メッセージを正常に受領した旨を通知するための「ＨＯ  Ｒｅｑｕｅｓｔ  ＡＣＫ」メッセージを、ハンドオーバ元無線基地局Ｓ-ｅＮＢに通知する。
【００７５】
ステップＳ１００３において、ハンドオーバ元無線基地局Ｓ-ｅＮＢは、移動局ＵＥに対して、Ｉｎｔｒａ  ＭＭＥハンドオーバを開始することを指示するための「ＨＯ  Ｃｏｍｍａｎｄ」メッセージを通知する。
【００７６】
ステップＳ１００４において、ハンドオーバ元無線基地局Ｓ-ｅＮＢは、サービングゲートウェイ装置Ｓ-ＧＷから受信して未だ移動局ＵＥに対する送信が完了していないＰＤＣＰ  ＳＤＵを、上述のように、Ｘ２  ＧＴＰ-Ｕパケットに変更してハンドオーバ先無線基地局Ｔ-ｅＮＢに転送する。
【００７７】
ステップＳ１００７において、移動局ＵＥが、上述の上りリンク通信を停止した後、「ＨＯ  Ｃｏｎｆｉｒｍ」メッセージを、ハンドオーバ先無線基地局Ｔ-ｅＮＢに送信する。
【００７８】
ステップＳ１００８において、ハンドオーバ先無線基地局Ｔ-ｅＮＢが、「ＨＯ  Ｃｏｍｐｌｅｔｅ」メッセージをモビリティ制御装置ＭＭＥに対して送信し、ステップＳ１００９において、モビリティ制御装置ＭＭＥが、かかる「Ｕｓｅｒ  Ｐｌａｎｅ  Ｕｐｄａｔｅ  Ｒｅｑｕｅｓｔ」メッセージをサービングゲートウェイ装置Ｓ-ＧＷに転送する。
【００７９】
なお、ステップＳ１００８において、上述のＸ２  ＧＴＰ-Ｕパケット（ＰＤＣＰ  ＳＤＵ）の転送が完了していない場合であっても、ハンドオーバ先無線基地局Ｔ-ｅＮＢは、「ＨＯ  Ｃｏｍｐｌｅｔｅ」メッセージをモビリティ制御装置ＭＭＥに対して送信することができる。
【００８０】
ステップＳ１０１０において、サービングゲートウェイ装置Ｓ-ＧＷは、「Ｕｓｅｒ  Ｐｌａｎｅ  Ｕｐｄａｔｅ  Ｒｅｑｕｅｓｔ」メッセージの受信を契機に、Ｓ１  ＧＴＰ-Ｕパケットの送信先を、ハンドオーバ元無線基地局Ｓ-ｅＮＢからハンドオーバ先無線基地局Ｔ-ｅＮＢに切り替える「Ｐａｔｈ  Ｓｗｉｔｃｈ」を行う。
【００８１】
ここで、「Ｐａｔｈ  Ｓｗｉｔｃｈ」が行われる前の最後にハンドオーバ元無線基地局Ｓ-ｅＮＢに送信されたＳ１  ＧＴＰ-Ｕパケットに付与されていた「Ｓ１  ＧＴＰ-ＵトンネルＡ用シーケンス番号ＳＮａ」の次のシーケンス番号を、「Ｐａｔｈ  Ｓｗｉｔｃｈ」が行われた後の最初にハンドオーバ先無線基地局Ｔ-ｅＮＢに送信されるＳ１  ＧＴＰ-Ｕパケットに付与する「Ｓ１  ＧＴＰ-ＵトンネルＢ用シーケンス番号ＳＮｂ」とする。
【００８２】
ステップＳ１０１１において、サービングゲートウェイ装置Ｓ-ＧＷは、「Ｕｓｅｒ  Ｐｌａｎｅ  Ｕｐｄａｔｅ  Ｒｅｓｐｏｎｓｅ」メッセージをモビリティ制御装置ＭＭＥに対して送信し、ステップＳ１０１２において、モビリティ制御装置ＭＭＥが、かかる「ＨＯ  Ｃｏｍｐｌｅｔｅ  ＡＣＫ」メッセージをハンドオーバ先無線基地局Ｔ-ｅＮＢに送信する。
【００８３】
ステップＳ１０１３において、ハンドオーバ先無線基地局Ｔ-ｅＮＢが、ハンドオーバ元無線基地局Ｓ-ｅＮＢに対して、移動局ＵＥとの間の通信に用いられていた無線リソースを開放するように指示するための「Ｒｅｌｅａｓｅ  ｒｅｑｕｅｓｔ」メッセージを送信する。
【００８４】
（本発明の第１の実施形態に係る無線通信システムの作用・効果）
本実施形態に係る無線通信システムによれば、ハンドオーバ先無線基地局Ｔ-ｅＮＢが、「Ｓ１  ＧＴＰ-Ｕトンネル用シーケンス番号ＳＮ」と「ＰＤＣＰ用シーケンス番号ＳＮｄ」との対応関係を受信するように構成されているため、ハンドオーバ元無線基地局Ｓ-ｅＮＢから送信された最後のＸ２  ＧＴＰ-Ｕパケットを正確に特定することができ、無線リンクＤを介して移動局ＵＥに対して送信するＰＤＣＰ  ＳＤＵに対して、適切な「ＰＤＣＰ用シーケンス番号ＳＮｄ」を付与することができる。
【００８５】
また、本実施形態に係る無線通信システムによれば、サービングゲートウェイ装置Ｓ-ＧＷが、Ｐａｔｈ  Ｓｗｉｔｃｈを行うまでは、ハンドオーバ元無線基地局Ｓ-ｅＮＢに対してＳ１  ＧＴＰ-Ｕパケットするように構成されているため、スループットを大幅に落とすことなく、無線リンクＤを介して移動局ＵＥに対して送信するＰＤＣＰ  ＳＤＵに対して、適切な「ＰＤＣＰ用シーケンス番号ＳＮｄ」を付与することができる。
【００８６】
（本発明の第２の実施形態）
図５及び図６を参照して、本発明の第２の実施形態に係る無線通信システムについて説明する。以下、本実施形態に係る無線通信システムについて、上述の第１の実施形態に係る無線通信システムとの相違点を主として説明する。
【００８７】
本実施形態では、移動局ＵＥとの間で通信を行う無線基地局ｅＮＢを、ハンドオーバ元無線基地局Ｓ-ｅＮＢ（第１無線基地局）からハンドオーバ先無線基地局Ｔ-ｅＮＢ（第２無線基地局）に切り替える動作、すなわち、移動局ＵＥとハンドオーバ元無線基地局Ｓ-ｅＮＢとの間の無線接続を、移動局ＵＥとハンドオーバ先無線基地局Ｔ-ｅＮＢとの間の無線接続に切り替える動作として、Ｉｎｔｅｒ  ＭＭＥハンドオーバ（Ｉｎｔｅｒ  Ｓ-ＧＷハンドオーバ）が行われる場合の例について説明する。
【００８８】
図５に、本実施形態に係る無線通信システムの全体構成を示す。具体的には、本実施形態に係る無線通信システムでは、図５に示すように、ＰＤＮ（Ｐｕｂｌｉｃ  Ｄａｔａ  Ｎｅｔｗｏｒｋ）ゲートウェイ装置（データ送信先切替装置、中央ゲートウェイ装置）ＰＤＮ-ＧＷが、Ｓ１  ＧＴＰ-Ｕパケットの送信先を、ハンドオーバ元サービングゲートウェイ装置（第１ゲートウェイ装置）Ｓ-Ｓ-ＧＷからハンドオーバ先サービングゲートウェイ装置（第２ゲートウェイ装置）Ｔ-Ｓ-ＧＷに切り替える「Ｐａｔｈ  Ｓｗｉｔｃｈ」を行うように構成されている。
【００８９】
ここで、ハンドオーバ元サービングゲートウェイ装置Ｓ-Ｓ-ＧＷは、上述の無線接続の切り替えに伴い、ハンドオーバ元無線基地局（第１無線基地局）Ｓ-ｅＮＢ配下の移動局ＵＥのモビリティ制御を行うハンドオーバ元モビリティ制御装置（第１モビリティ制御装置）Ｓ-ＭＭＥに接続されている第１ゲートウェイ装置である。
【００９０】
また、ハンドオーバ先サービングゲートウェイ装置Ｔ-Ｓ-ＧＷは、上述の無線接続の切り替えに伴い、ハンドオーバ先無線基地局（第２無線基地局）Ｔ-ｅＮＢ配下の移動局ＵＥのモビリティ制御を行うハンドオーバ先モビリティ制御装置（第２モビリティ制御装置）Ｔ-ＭＭＥに接続されている第２ゲートウェイ装置である。
【００９１】
本実施形態では、ＰＤＮゲートウェイ装置（中央ゲートウェイ装置）ＰＤＮ-ＧＷによって送信されるＳ１  ＧＴＰ-Ｕパケットに付与されているシーケンス番号と、ＰＤＮゲートウェイ装置ＰＤＮ-ＧＷによって送信されるＳ１  ＧＴＰ-Ｕパケットに付与されているシーケンス番号とが連続するように構成されている。
【００９２】
また、ハンドオーバ元サービングゲートウェイ装置（第１ゲートウェイ装置）Ｓ-Ｓ-ＧＷによってＳ１  ＧＴＰ-ＵトンネルＸ２を介して送信されるＳ１  ＧＴＰ-Ｕパケットに付与されている「Ｓ１  ＧＴＰ-ＵトンネルＸ２用シーケンス番号」と、ＰＤＮゲートウェイ装置ＰＤＮ-ＧＷによってＳ５  ＧＴＰ-ＵトンネルＸ１を介して送信されるＳ１  ＧＴＰ-Ｕパケットに付与されるシーケンス番号とが同じシーケンス番号である。
【００９３】
さらに、ハンドオーバ先サービングゲートウェイ装置（第２ゲートウェイ装置）Ｔ-Ｓ-ＧＷによってＳ１  ＧＴＰ-ＵトンネルＸ４を介して送信されるＳ１  ＧＴＰ-Ｕパケットに付与されている「Ｓ１  ＧＴＰ-ＵトンネルＸ４用シーケンス番号」と、ＰＤＮゲートウェイ装置ＰＤＮ-ＧＷによってＳ５  ＧＴＰ-ＵトンネルＸ３を介して送信されるＳ１  ＧＴＰ-Ｕパケットに付与されるシーケンス番号とが同じシーケンス番号である。
【００９４】
また、本実施形態では、後述するように、ハンドオーバ元無線基地局Ｓ-ｅＮＢが、ハンドオーバ元モビリティ制御装置Ｓ-ＭＭＥに対して、上述の対応関係を通知し、ハンドオーバ元モビリティ制御装置Ｓ-ＭＭＥが、ハンドオーバ先モビリティ制御装置Ｔ-ＭＭＥに対して、上述の対応関係を通知し、ハンドオーバ先モビリティ制御装置Ｔ-ＭＭＥが、ハンドオーバ先無線基地局Ｔ-ｅＮＢに対して、上述の対応関係を通知する。
【００９５】
図６を参照して、本実施形態に係る無線通信システムにおいて、上述のＩｎｔｅｒ  ＭＭＥハンドオーバ（Ｉｎｔｅｒ  Ｓ-ＧＷハンドオーバ）が行われる場合の動作について説明する。
【００９６】
図６に示すように、ステップＳ２００１において、ハンドオーバ元無線基地局Ｓ-ｅＮＢが、ハンドオーバ元モビリティ制御装置Ｓ-ＭＭＥに対して、「Ｒｅｌｏｃａｔｉｏｎ  Ｒｅｑｕｅｓｔ」メッセージを送信する。
【００９７】
ここで、「Ｒｅｌｏｃａｔｉｏｎ  Ｒｅｑｕｅｓｔ」メッセージ内には、「Ｓ１  ＧＴＰ-ＵトンネルＡ用シーケンス番号（第１シーケンス番号）」と「ＰＤＣＰ用シーケンス番号（無線通信用シーケンス番号）」との対応関係が含まれているものとする。
【００９８】
ステップＳ２００２において、ハンドオーバ元モビリティ制御装置Ｓ-ＭＭＥが、ハンドオーバ先モビリティ制御装置Ｔ-ＭＭＥに対して、かかる「Ｒｅｌｏｃａｔｉｏｎ  Ｒｅｑｕｅｓｔ」メッセージを転送する。
【００９９】
ステップＳ２００３において、ハンドオーバ先モビリティ制御装置Ｔ-ＭＭＥが、ハンドオーバ先サービングゲートウェイ装置Ｔ-Ｓ-ＧＷに対して、ハンドオーバ先サービングゲートウェイ装置Ｔ-Ｓ-ＧＷとハンドオーバ先無線基地局Ｔ-ｅＮＢとの間に当該移動局ＵＥ用のベアラを設定するように要求するための「Ｂｅａｒｅｒ  Ｒｅｑｕｅｓｔ」メッセージを送信する。
【０１００】
ステップＳ２００４において、ハンドオーバ先サービングゲートウェイ装置Ｔ-Ｓ-ＧＷが、ハンドオーバ先モビリティ制御装置Ｔ-ＭＭＥに対して、「Ｂｅａｒｅｒ  Ｒｅｓｐｏｎｓｅ」メッセージを送信する。
【０１０１】
ステップＳ２００５において、ハンドオーバ先モビリティ制御装置Ｔ-ＭＭＥが、ハンドオーバ先無線基地局Ｔ-ｅＮＢに対して、上述の「Ｒｅｌｏｃａｔｉｏｎ  Ｒｅｑｕｅｓｔ」メッセージを転送する。
【０１０２】
ステップＳ２００６において、ハンドオーバ先無線基地局Ｔ-ｅＮＢが、ハンドオーバ先モビリティ制御装置Ｔ-ＭＭＥに対して、「Ｒｅｌｏｃａｔｉｏｎ  Ｒｅｑｕｅｓｔ  ＡＣＫ」メッセージを送信する。
【０１０３】
ステップＳ２００７において、ハンドオーバ先モビリティ制御装置Ｔ-ＭＭＥが、ハンドオーバ先サービングゲートウェイ装置Ｔ-Ｓ-ＧＷに対して、上述の移動局ＵＥ用のベアラの設定を変更するように要求するための「Ｂｅａｒｅｒ  Ｒｅｑｕｅｓｔ」メッセージを送信する。
【０１０４】
ステップＳ２００８において、ハンドオーバ先サービングゲートウェイ装置Ｔ-Ｓ-ＧＷが、ハンドオーバ先モビリティ制御装置Ｔ-ＭＭＥに対して、「Ｂｅａｒｅｒ  Ｒｅｓｐｏｎｓｅ」メッセージを送信する。
【０１０５】
ステップＳ２００９において、ハンドオーバ先モビリティ制御装置Ｔ-ＭＭＥが、ハンドオーバ元モビリティ制御装置Ｓ-ＭＭＥに対して、上述の「Ｒｅｌｏｃａｔｉｏｎ  Ｒｅｑｕｅｓｔ」メッセージを送信する。
【０１０６】
ステップＳ２０１０において、ハンドオーバ元モビリティ制御装置Ｓ-ＭＭＥが、ハンドオーバ元サービングゲートウェイ装置Ｓ-Ｓ-ＧＷに対して、上述の移動局ＵＥ用のベアラの設定を変更するように要求するための「Ｂｅａｒｅｒ  Ｒｅｑｕｅｓｔ」メッセージを送信する。
【０１０７】
ステップＳ２０１１において、ハンドオーバ元サービングゲートウェイ装置Ｓ-Ｓ-ＧＷが、ハンドオーバ元モビリティ制御装置Ｓ-ＭＭＥに対して、「Ｂｅａｒｅｒ  Ｒｅｓｐｏｎｓｅ」メッセージを送信する。
【０１０８】
ステップＳ２０１２において、ハンドオーバ元モビリティ制御装置Ｓ-ＭＭＥが、ハンドオーバ元無線基地局Ｓ-ｅＮＢに対して、「Ｒｅｌｏｃａｔｉｏｎ  Ｃｏｍｍａｎｄ」メッセージを送信し、ステップＳ２０１３において、ハンドオーバ元無線基地局Ｓ-ｅＮＢが、当該移動局ＵＥに対して、「ＨＯ  Ｃｏｍｍａｎｄ」メッセージを送信する。
【０１０９】
ステップＳ２０１４Ａにおいて、ハンドオーバ元無線基地局Ｓ-ｅＮＢは、サービングゲートウェイ装置Ｓ-ＧＷから受信して未だ移動局ＵＥに対する送信が完了していないＰＤＣＰ  ＳＤＵを、上述のように、Ｘ２  ＧＴＰ-Ｕパケットに変更してハンドオーバ先無線基地局Ｔ-ｅＮＢに転送する。
【０１１０】
ここで、ステップＳ２０１４Ｂに示すように、ハンドオーバ元無線基地局Ｓ-ｅＮＢは、かかるＰＤＣＰ  ＳＤＵを、ハンドオーバ元サービングゲートウェイ装置Ｓ-Ｓ-ＧＷとハンドオーバ先サービングゲートウェイ装置Ｔ-Ｓ-ＧＷとを介して、ハンドオーバ先無線基地局Ｔ-ｅＮＢに転送してもよい。
【０１１１】
ステップＳ２０１５において、移動局ＵＥは、ハンドオーバ先無線基地局Ｔ-ｅＮＢに対して、「ＨＯ  Ｃｏｎｆｉｒｍ」メッセージを送信する。
【０１１２】
ステップＳ２０１６において、ハンドオーバ先無線基地局Ｔ-ｅＮＢは、ハンドオーバ先モビリティ制御装置Ｔ-ＭＭＥに対して、「Ｒｅｌｏｃａｔｉｏｎ  Ｃｏｍｐｌｅｔｅ」メッセージを送信する。
【０１１３】
ステップＳ２０１７において、ハンドオーバ先モビリティ制御装置Ｔ-ＭＭＥが、ハンドオーバ元モビリティ制御装置Ｓ-ＭＭＥに対して、かかる「Ｒｅｌｏｃａｔｉｏｎ  Ｃｏｍｐｌｅｔｅ」メッセージを転送する。
【０１１４】
ステップＳ２０１８において、ハンドオーバ元モビリティ制御装置Ｓ-ＭＭＥが、ハンドオーバ先モビリティ制御装置Ｔ-ＭＭＥに対して、「Ｒｅｌｏｃａｔｉｏｎ  Ｃｏｍｐｌｅｔｅ  ＡＣＫ」メッセージを送信する。
【０１１５】
ステップＳ２０１９において、ハンドオーバ先モビリティ制御装置Ｔ-ＭＭＥが、ハンドオーバ先サービングゲートウェイ装置Ｔ-Ｓ-ＧＷに対して、上述の移動局ＵＥ用のベアラの設定を変更するように要求するための「Ｂｅａｒｅｒ  Ｒｅｑｕｅｓｔ」メッセージを送信する。
【０１１６】
ステップＳ２０２０において、ハンドオーバ先サービングゲートウェイ装置Ｔ-Ｓ-ＧＷが、ＰＤＮゲートウェイ装置ＰＤＮ-ＧＷに対して、上述の移動局ＵＥ用のベアラの設定を変更するように要求するための「Ｂｅａｒｅｒ  Ｒｅｑｕｅｓｔ」メッセージを送信する。
【０１１７】
ステップＳ２０２１において、ＰＤＮゲートウェイ装置ＰＤＮ-ＧＷが、ハンドオーバ先サービングゲートウェイ装置Ｔ-Ｓ-ＧＷに対して、「Ｂｅａｒｅｒ  Ｒｅｓｐｏｎｓｅ」メッセージを送信する。ここで、ＰＤＮゲートウェイ装置ＰＤＮ-ＧＷが、「Ｐａｔｈ  Ｓｗｉｔｃｈ」を行う。
【０１１８】
ステップＳ２０２２において、ハンドオーバ先サービングゲートウェイ装置Ｔ-Ｓ-ＧＷが、ハンドオーバ先モビリティ制御装置Ｔ-ＭＭＥに対して、「Ｂｅａｒｅｒ  Ｒｅｓｐｏｎｓｅ」メッセージを送信する。
【０１１９】
ステップＳ２０２３において、ハンドオーバ先モビリティ制御装置Ｔ-ＭＭＥが、ハンドオーバ元モビリティ制御装置Ｓ-ＭＭＥに対して、移動局ＵＥとの間の通信に用いられていた無線リソースを開放するように指示するための「Ｒｅｌｅａｓｅ  ｒｅｑｕｅｓｔ」メッセージを送信する。
【０１２０】
ステップＳ２０２４において、ハンドオーバ元モビリティ制御装置Ｓ-ＭＭＥが、ハンドオーバ元無線基地局Ｓ-ｅＮＢに対して、上述の「Ｒｅｌｅａｓｅ  ｒｅｑｕｅｓｔ」メッセージを送信する。
【０１２１】
（本発明の第３の実施形態）
図７及び図８を参照して、本発明の第３の実施形態に係る無線通信システムについて説明する。以下、本実施形態に係る無線通信システムについて、上述の第１及び第２の実施形態に係る無線通信システムとの相違点を主として説明する。
【０１２２】
本実施形態では、移動局ＵＥとの間で通信を行う無線基地局ｅＮＢを、ハンドオーバ元無線基地局Ｓ-ｅＮＢ（第１無線基地局）からハンドオーバ先無線基地局Ｔ-ｅＮＢ（第２無線基地局）に切り替える動作、すなわち、移動局ＵＥとハンドオーバ元無線基地局Ｓ-ｅＮＢとの間の無線接続を、移動局ＵＥとハンドオーバ先無線基地局Ｔ-ｅＮＢとの間の無線接続に切り替える動作として、Ｉｎｔｅｒ  ＭＭＥハンドオーバ（Ｉｎｔｒａ  Ｓ-ＧＷハンドオーバ）が行われる場合の例について説明する。
【０１２３】
図７に、本実施形態に係る無線通信システムの全体構成を示す。具体的には、本実施形態に係る無線通信システムでは、図７に示すように、サービングゲートウェイ装置（データ送信先切替装置）Ｓ-ＧＷが、Ｓ１  ＧＴＰ-Ｕパケットの送信先を、ハンドオーバ元サービングゲートウェイ装置（第１ゲートウェイ装置）Ｓ-Ｓ-ＧＷからハンドオーバ先サービングゲートウェイ装置（第２ゲートウェイ装置）Ｔ-Ｓ-ＧＷに切り替える「Ｐａｔｈ  Ｓｗｉｔｃｈ」を行うように構成されている。
【０１２４】
ここで、サービングゲートウェイ装置Ｓ-Ｓ-ＧＷは、上述の無線接続の切り替えに伴い、ハンドオーバ元無線基地局（第１無線基地局）Ｓ-ｅＮＢ配下の移動局ＵＥのモビリティ制御を行うハンドオーバ元モビリティ制御装置（第１モビリティ制御装置）Ｓ-ＭＭＥに接続されており、上述の無線接続の切り替えに伴い、ハンドオーバ先無線基地局（第２無線基地局）Ｔ-ｅＮＢ配下の移動局ＵＥのモビリティ制御を行うハンドオーバ先モビリティ制御装置（第２モビリティ制御装置）Ｔ-ＭＭＥに接続されている。
【０１２５】
また、本実施形態では、後述するように、ハンドオーバ元無線基地局Ｓ-ｅＮＢが、ハンドオーバ元モビリティ制御装置Ｓ-ＭＭＥに対して、上述の対応関係を通知し、ハンドオーバ元モビリティ制御装置Ｓ-ＭＭＥが、ハンドオーバ先モビリティ制御装置Ｔ-ＭＭＥに対して、上述の対応関係を通知し、ハンドオーバ先モビリティ制御装置Ｔ-ＭＭＥが、ハンドオーバ先無線基地局Ｔ-ｅＮＢに対して、上述の対応関係を通知する。
【０１２６】
図８を参照して、本実施形態に係る無線通信システムにおいて、上述のＩｎｔｅｒ  ＭＭＥハンドオーバ（Ｉｎｔｒａ  Ｓ-ＧＷハンドオーバ）が行われる場合の動作について説明する。
【０１２７】
図８に示すように、ステップＳ３００１において、ハンドオーバ元無線基地局Ｓ-ｅＮＢが、ハンドオーバ元モビリティ制御装置Ｓ-ＭＭＥに対して、「Ｒｅｌｏｃａｔｉｏｎ  Ｒｅｑｕｅｓｔ」メッセージを送信する。
【０１２８】
ここで、「Ｒｅｌｏｃａｔｉｏｎ  Ｒｅｑｕｅｓｔ」メッセージ内には、「Ｓ１  ＧＴＰ-ＵトンネルＡ用シーケンス番号（第１シーケンス番号）」と「ＰＤＣＰ用シーケンス番号（無線通信用シーケンス番号）」との対応関係が含まれているものとする。
【０１２９】
ステップＳ３００２において、ハンドオーバ元モビリティ制御装置Ｓ-ＭＭＥが、ハンドオーバ先モビリティ制御装置Ｔ-ＭＭＥに対して、かかる「Ｒｅｌｏｃａｔｉｏｎ  Ｒｅｑｕｅｓｔ」メッセージを転送する。
【０１３０】
ステップＳ３００３において、ハンドオーバ先モビリティ制御装置Ｔ-ＭＭＥが、ハンドオーバ先無線基地局Ｔ-ｅＮＢに対して、上述の「Ｒｅｌｏｃａｔｉｏｎ  Ｒｅｑｕｅｓｔ」メッセージを転送する。
【０１３１】
ステップＳ３００４において、ハンドオーバ先無線基地局Ｔ-ｅＮＢが、ハンドオーバ先モビリティ制御装置Ｔ-ＭＭＥに対して、「Ｒｅｌｏｃａｔｉｏｎ  Ｒｅｑｕｅｓｔ  ＡＣＫ」メッセージを送信する。
【０１３２】
ステップＳ３００５において、ハンドオーバ先モビリティ制御装置Ｔ-ＭＭＥが、ハンドオーバ元モビリティ制御装置Ｓ-ＭＭＥに対して、上述の「Ｒｅｌｏｃａｔｉｏｎ  Ｒｅｑｕｅｓｔ」メッセージを送信する。
【０１３３】
ステップＳ３００６において、ハンドオーバ元モビリティ制御装置Ｓ-ＭＭＥが、ハンドオーバ元無線基地局Ｓ-ｅＮＢに対して、「Ｒｅｌｏｃａｔｉｏｎ  Ｃｏｍｍａｎｄ」メッセージを送信し、ステップＳ３００７において、ハンドオーバ元無線基地局Ｓ-ｅＮＢが、当該移動局ＵＥに対して、「ＨＯ  Ｃｏｍｍａｎｄ」メッセージを送信する。
【０１３４】
ステップＳ３００８Ａにおいて、ハンドオーバ元無線基地局Ｓ-ｅＮＢは、サービングゲートウェイ装置Ｓ-ＧＷから受信して未だ移動局ＵＥに対する送信が完了していないＰＤＣＰ  ＳＤＵを、上述のように、Ｘ２  ＧＴＰ-Ｕパケットに変更してハンドオーバ先無線基地局Ｔ-ｅＮＢに転送する。
【０１３５】
ここで、ステップＳ３００８Ｂに示すように、ハンドオーバ元無線基地局Ｓ-ｅＮＢは、かかるＰＤＣＰ  ＳＤＵを、サービングゲートウェイ装置Ｓ-ＧＷを介して、ハンドオーバ先無線基地局Ｔ-ｅＮＢに転送してもよい。
【０１３６】
ステップＳ３００９において、移動局ＵＥは、ハンドオーバ先無線基地局Ｔ-ｅＮＢに対して、「ＨＯ  Ｃｏｎｆｉｒｍ」メッセージを送信する。
【０１３７】
ステップＳ３０１０において、ハンドオーバ先無線基地局Ｔ-ｅＮＢは、ハンドオーバ先モビリティ制御装置Ｔ-ＭＭＥに対して、「Ｒｅｌｏｃａｔｉｏｎ  Ｃｏｍｐｌｅｔｅ」メッセージを送信する。
【０１３８】
ステップＳ３０１１において、ハンドオーバ先モビリティ制御装置Ｔ-ＭＭＥが、ハンドオーバ元モビリティ制御装置Ｓ-ＭＭＥに対して、かかる「Ｒｅｌｏｃａｔｉｏｎ  Ｃｏｍｐｌｅｔｅ」メッセージを転送する。
【０１３９】
ステップＳ３０１２において、ハンドオーバ元モビリティ制御装置Ｓ-ＭＭＥが、ハンドオーバ先モビリティ制御装置Ｔ-ＭＭＥに対して、「Ｒｅｌｏｃａｔｉｏｎ  Ｃｏｍｐｌｅｔｅ  ＡＣＫ」メッセージを送信する。
【０１４０】
ステップＳ３０１３において、ハンドオーバ先モビリティ制御装置Ｔ-ＭＭＥが、サービングゲートウェイ装置Ｓ-ＧＷに対して、上述の移動局ＵＥ用のベアラの設定を変更するように要求するための「Ｂｅａｒｅｒ  Ｒｅｑｕｅｓｔ」メッセージを送信する。
【０１４１】
ステップＳ３０１４において、サービングゲートウェイ装置Ｓ-ＧＷが、ＰＤＮゲートウェイ装置ＰＤＮ-ＧＷに対して、上述の移動局ＵＥ用のベアラの設定を変更するように要求するための「Ｂｅａｒｅｒ  Ｒｅｑｕｅｓｔ」メッセージを送信する。
【０１４２】
ステップＳ３０１５において、ＰＤＮゲートウェイ装置ＰＤＮ-ＧＷが、サービングゲートウェイ装置Ｓ-ＧＷに対して、「Ｂｅａｒｅｒ  Ｒｅｓｐｏｎｓｅ」メッセージを送信する。
【０１４３】
ステップＳ３０１６において、サービングゲートウェイ装置Ｓ-ＧＷが、ハンドオーバ先モビリティ制御装置Ｔ-ＭＭＥに対して、「Ｂｅａｒｅｒ  Ｒｅｓｐｏｎｓｅ」メッセージを送信する。ここで、サービングゲートウェイ装置Ｓ-ＧＷが、「Ｐａｔｈ  Ｓｗｉｔｃｈ」を行う。
【０１４４】
ステップＳ３０１７において、ハンドオーバ先モビリティ制御装置Ｔ-ＭＭＥが、ハンドオーバ元モビリティ制御装置Ｓ-ＭＭＥに対して、移動局ＵＥとの間の通信に用いられていた無線リソースを開放するように指示するための「Ｒｅｌｅａｓｅ  ｒｅｑｕｅｓｔ」メッセージを送信する。
【０１４５】
ステップＳ３０１８において、ハンドオーバ元モビリティ制御装置Ｓ-ＭＭＥが、ハンドオーバ元無線基地局Ｓ-ｅＮＢに対して、上述の「Ｒｅｌｅａｓｅ  ｒｅｑｕｅｓｔ」メッセージを送信する。
【０１４６】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【０１４７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０１４９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１５０】
【図１】本発明の第１の実施形態に係る無線通信システムの全体構成図である。
【図２】本発明の第１の実施形態に係る無線通信システムにおいて送信されるデータのフォーマットについて説明するための図である。
【図３】本発明の第１の実施形態に係る無線通信システムにおいて、ハンドオーバ元無線基地局からハンドオーバ先無線基地局からに送信される対応関係の一例について説明するための図である。
【図４】本発明の第１の実施形態に係る無線通信システムの動作を示すシーケンス図である。
【図５】本発明の第２の実施形態に係る無線通信システムの全体構成図である。
【図６】本発明の第２の実施形態に係る無線通信システムの動作を示すシーケンス図である。
【図７】本発明の第３の実施形態に係る無線通信システムの全体構成図である。
【図８】本発明の第３の実施形態に係る無線通信システムの動作を示すシーケンス図である。
【図９】従来の無線通信システムについて説明するための図である。
【図１０】従来の無線通信システムについて説明するための図である。
【符号の説明】
【０１５１】
Ａ、Ｂ…Ｓ１  ＧＴＰ-Ｕトンネル
Ｃ…Ｘ２  ＧＴＰ-Ｕトンネル
ＵＥ…移動局
ＰＤＮ-ＧＷ…ＰＤＮゲートウェイ装置
Ｓ-Ｓ-ＧＷ…ハンドオーバ元サービングゲートウェイ装置
Ｔ-Ｓ-ＧＷ…ハンドオーバ先サービングゲートウェイ装置
Ｓ-ｅＮＢ…ハンドオーバ元無線基地局
Ｔ-ｅＮＢ…ハンドオーバ先無線基地局
Ｓ-ＭＭＥ…ハンドオーバ元モビリティ管理装置
Ｔ-ＭＭＥ…ハンドオーバ先モビリティ管理装置
【図１】
2009060156.tif 000003
【図２】
2009060156.tif 000004
【図３】
2009060156.tif 000005
【図４】
2009060156.tif 000006
【図５】
2009060156.tif 000007
【図６】
2009060156.tif 000008
【図７】
2009060156.tif 000009
【図８】
2009060156.tif 000010
【図９】
2009060156.tif 000011
【図１０】
2009060156.tif 000012